(57)【要約】      （修正有）【課題】戸部材がより確実に閉止位置にまで回転できる補助ドアクローザを提供する。【解決手段】開き戸構造体１００は、戸枠開口１２２を閉じ切る戸部材１１０と、開放位置にある戸部材１１０を収容する戸袋１１２と、戸部材１１０と戸袋１１２との間に配置された補助ドアクローザ１１４とを備える。補助ドアクローザ１１４は、戸袋１１２に固定されたベース部材１２４と、戸部材１１０に当接したローラー１４６を保持する回転部材１２６とを備える。回転部材１２６はベース部材１２４に回転可能に取り付けられており、ベース部材１２４の筒状部内に設定されたコイルスプリングによって回転方向に付勢されている。補助ドアクローザ１１４は、コイルスプリングの付勢力によって戸部材１１０に閉じる方向での力を付加する。戸部材１１０が閉じていくと、ローラー１４６は戸部材１１０上を移動しながら戸部材１１０が戸枠開口１２２を閉じ切るまで押圧していく。【選択図】図８
2020139295.tif 000002
【特許請求の範囲】
【請求項１】
開き戸において戸枠開口を閉じ切る戸部材と、該戸部材が該戸枠開口を閉じ切るときに実質的に静止している静止部材との間に配置されて、該戸部材が閉じるのを補助する補助ドアクローザであって、
該戸部材と該静止部材とのうちの一方の部材に固定されるベース部材と、
該ベース部材に対して回転軸線の周りで回転可能に取り付けられた回転本体部、及び該回転軸線から離れた位置で該回転本体部に設けられ、該戸部材と該静止部材とのうちの他方の部材に当接するようにされた当接部、を有する回転部材と、
該ベース部材と該回転部材との間に設定され、該当接部が該他方の部材に押し付けられる方向に該回転部材を付勢する付勢部材と、
を備え、
該戸部材が閉じる際に、該当接部が該他方の部材上を移動しながら該他方の部材を該戸部材が該戸枠開口を閉じ切るまで押圧して、該戸部材に閉じる方向での力を付加するようにされた、補助ドアクローザ。
【請求項２】
該付勢部材が該回転軸線に沿って延びる第１コイルスプリングを有し、該第１コイルスプリングの一端が該ベース部材に回転方向で固定され、該第１コイルスプリングの他端が該回転部材に回転方向で固定されている、請求項１に記載の補助ドアクローザ。
【請求項３】
該ベース部材が、該一方の部材に固定される固定部と、該回転軸線に沿って筒状に延びて該第１コイルスプリングを収容する筒状部と、該筒状部内において該回転軸線の周りで回転可能に配置され、該第１コイルスプリングの一端を回転方向で固定する付勢力調整部材と、を有し、
該筒状部がその周壁に開口を有し、
該付勢力調整部材が、その外周面に周方向で間隔をあけて設けられた複数の挿入孔と、該複数の挿入孔のうちの一つに選択的に挿入された係止ピンと、を有し、
該係止ピンが該開口内に突出して該開口の内周面に当接することにより該付勢力調整部材の回転方向位置が固定されるようにされた、請求項２に記載の補助ドアクローザ。
【請求項４】
該付勢力調整部材が該回転軸線の方向での該筒状部の略中心位置に配置されており、
該付勢部材が、該筒状部内において該回転軸線に沿って延びて該付勢力調整部材に対して該第１コイルスプリングの反対側に配置された第２コイルスプリングをさらに有し、該第２コイルスプリングの一端が該付勢力調整部材に回転方向で固定され、該第２コイルスプリングの他端が該回転部材に回転方向で固定され、
該第１コイルスプリングと該第２コイルスプリングの巻き方向が逆向きである、請求項３に記載の補助ドアクローザ。
【請求項５】
該付勢力調整部材が、該第１コイルスプリングの一端を固定する第１付勢力調整部材と、該第２コイルスプリングの一端を固定する第２付勢力調整部材と、を有し、
該第１付勢力調整部材と該第２付勢力調整部材は該回転軸線の方向で並べて配置され、該筒状部内で互いに独立して回転可能に配置され、それぞれが該複数の挿入孔と該係止ピンとを有する、請求項４に記載の補助ドアクローザ。
【請求項６】
該当接部が該回転本体部に回転可能に保持されたローラーである、請求項１乃至５のいずれか一項に記載の補助ドアクローザ。
【請求項７】
該回転本体部が、該ベース部材から該回転軸線の放射方向に延び該付勢部材によって付勢されている第１部材と、該回転軸線と平行で該回転軸線から離れた位置にある平行軸線の周りで該第１部材に回転可能に取り付けられ、該平行軸線の放射方向に延び、該当接部が設けられた第２部材と、該第１部材と該第２部材との間に設定されて、該当接部が該他方の部材に押し付けられる方向に該第２部材を付勢する補助付勢部材と、を有し、
該戸部材が閉じる際に、該第２部材が該補助付勢部材の付勢力によって回転して該第１部材に対して所定の角度範囲内で屈曲し、該第１部材と該第２部材とが該所定の角度範囲内で屈曲した状態を維持しながら該戸部材が該戸枠開口を閉じ切るまで該回転部材が該ベース部材に対して回転するようにされた、請求項１乃至６のいずれか一項に記載の補助ドアクローザ。
【請求項８】
戸枠開口を閉じ切る１つの戸部材からなる開き戸と、
該戸部材が開放位置あるときに該戸部材を収容する戸袋と、
該戸部材と該戸袋との間に配置されて、該戸部材が閉じるのを補助する請求項１乃至７のいずれか一項に記載の補助ドアクローザと、
を備える、開き戸構造体。
【請求項９】
互いに回転可能に連結された複数の戸部材からなる折戸式の開き戸であって、当該開き戸の吊元側の戸部材から当該開き戸の先端側の戸部材に向かって順次閉じていくようにされた開き戸と、
該複数の戸部材のうちの最も先端側の戸部材と、該最も先端側の戸部材に隣接し該最も先端側の戸部材を回転可能に保持する別の戸部材との間に配置されて、該最も先端側の戸部材が閉じるのを補助する請求項１乃至７のいずれか一項に記載の補助ドアクローザと、
を備える、開き戸構造体。
【発明の詳細な説明】
【技術分野】
【０００１】
本発明は、開き戸が閉じるのを補助するための補助ドアクローザ、及び補助ドアクローザを有する開き戸構造体に関する。
【背景技術】
【０００２】
開き戸形式の防火戸は、通常時は開放位置で戸袋内に収容されており、出火が検知されると戸袋から解放されて自動的に閉扉方向に回転して通路となっていた戸枠開口を閉じるようになっている。防火戸にはドアクローザが取り付けられており、防火戸はドアクローザの付勢力によって閉扉するようになっている。しかし、出火状況によっては、出火に伴う空気膨張のために戸枠開口を通る空気の流れが生じ、その空気による圧力によって防火戸の動きが妨げられて、戸枠開口を閉じ切ることができなくことが起こり得る。すなわち、防火戸の両側に圧力差が生じ、それによりドアクローザの付勢力だけでは戸枠開口を閉じ切ることができなくなる状況が生じ得る。
【０００３】
このような問題は従来から知られており、その対策として防火戸が閉じる際に防火戸に一時的に空気を通す通路が形成されるようにして、防火戸が受ける圧力を小さくするようにしたものが提案されている（たとえば、特許文献１）。また、ドアクローザの付勢力を大きくすれば防火戸を閉じきることもできるようになるが、通常ドアクローザは防火戸の内部に配置されており、大きさが制限されるため、ドアクローザの付勢力にも限界がある。
【先行技術文献】
【特許文献】
【０００４】
【特許文献１】特開２０１８−７８８９号公報
【発明の概要】
【発明が解決しようとする課題】
【０００５】
本発明は、上述のような従来の問題を、より簡易な手段により解決することができる補助ドアクローザを提供することを目的とする。
【課題を解決するための手段】
【０００６】
すなわち本発明は、
開き戸において戸枠開口を閉じ切る戸部材と、該戸部材が該戸枠開口を閉じ切るときに実質的に静止している静止部材との間に配置されて、該戸部材が閉じるのを補助する補助ドアクローザであって、
該戸部材と該静止部材とのうちの一方の部材に固定されるベース部材と、
該ベース部材に対して回転軸線の周りで回転可能に取り付けられた回転本体部、及び該回転軸線から離れた位置で該回転本体部に設けられ、該戸部材と該静止部材とのうちの他方の部材に当接するようにされた当接部、を有する回転部材と、
該ベース部材と該回転部材との間に設定され、該当接部が該他方の部材に押し付けられる方向に該回転部材を付勢する付勢部材と、
を備え、
該戸部材が閉じる際に、該当接部が該他方の部材上を移動しながら該他方の部材を該戸部材が該戸枠開口を閉じ切るまで押圧して、該戸部材に閉じる方向での力を付加するようにされた、補助ドアクローザを提供する。
【０００７】
当該補助ドアクローザは、戸部材と静止部材とのうちの一方の部材にのみ固定され、他方の部材に対しては当接部が該他方の部材上を移動しながら当接して押圧するようになっている。そのため、補助ドアクローザの取り付け位置を正確に決める必要がなく、取り付けが容易である。また、既に設置されている戸部材に対しても容易に後付けすることが可能となる。このような補助ドアクローザによって、戸部材が閉じる方向への力を付加して、戸部材が圧力を受けても戸枠開口を閉じ切るようにすることが可能となる。
【０００８】
また、該付勢部材が該回転軸線に沿って延びる第１コイルスプリングを有し、該第１コイルスプリングの一端が該ベース部材に回転方向で固定され、該第１コイルスプリングの他端が該回転部材に回転方向で固定されているようにすることができる。
【０００９】
さらには、
該ベース部材が、該一方の部材に固定される固定部と、該回転軸線に沿って筒状に延びて該第１コイルスプリングを収容する筒状部と、該筒状部内において該回転軸線の周りで回転可能に配置され、該第１コイルスプリングの一端を回転方向で固定する付勢力調整部材と、を有し、
該筒状部がその周壁に開口を有し、
該付勢力調整部材が、その外周面に周方向で間隔をあけて設けられた複数の挿入孔と、該複数の挿入孔のうちの一つに選択的に挿入された係止ピンと、を有し、
該係止ピンが該開口内に突出して該開口の内周面に当接することにより該付勢力調整部材の回転方向位置が固定されるようにすることができる。
【００１０】
このような構成により、付勢力調整部材を回転させて係止ピンを適当な挿入孔に挿入することにより、第１コイルスプリングの付勢力を調整することが可能となる。
【００１１】
また、
該付勢力調整部材が該回転軸線の方向での該筒状部の略中心位置に配置されており、
該付勢部材が、該筒状部内において該回転軸線に沿って延びて該付勢力調整部材に対して該第１コイルスプリングの反対側に配置された第２コイルスプリングをさらに有し、該第２コイルスプリングの一端が該付勢力調整部材に回転方向で固定され、該第２コイルスプリングの他端が該回転部材に回転方向で固定され、
該第１コイルスプリングと該第２コイルスプリングの巻き方向が逆向きであるようにすることができる。
【００１２】
さらには、
該付勢力調整部材が、該第１コイルスプリングの一端を固定する第１付勢力調整部材と、該第２コイルスプリングの一端を固定する第２付勢力調整部材と、を有し、
該第１付勢力調整部材と該第２付勢力調整部材は該回転軸線の方向で並べて配置され、該筒状部内で互いに独立して回転可能に配置され、それぞれが該複数の挿入孔と該係止ピンとを有するようにすることができる。
【００１３】
このような構成により、第１コイルスプリングと第２コイルスプリングとの付勢力を別々に調整することができるようになり、付勢力をより細かく調整することが可能となる。また、第１コイルスプリングと第２コイルスプリングとを別々に捻るため、２つを同時に捻る場合に比べて必要な力がおよそ半分になり、付勢力の調整をより簡単に行えるようにもなる。
【００１４】
また、該当接部が該回転本体部に回転可能に保持されたローラーであるようにすることができる。
【００１５】
さらには、
該回転本体部が、該ベース部材から該回転軸線の放射方向に延び該付勢部材によって付勢されている第１部材と、該回転軸線と平行で該回転軸線から離れた位置にある平行軸線の周りで該第１部材に回転可能に取り付けられ、該平行軸線の放射方向に延び、該当接部が設けられた第２部材と、該第１部材と該第２部材との間に設定されて、該当接部が該他方の部材に押し付けられる方向に該第２部材を付勢する補助付勢部材と、を有し、
該戸部材が閉じる際に、該第２部材が該補助付勢部材の付勢力によって回転して該第１部材に対して所定の角度範囲内で屈曲し、該第１部材と該第２部材とが該所定の角度範囲内で屈曲した状態を維持しながら該戸部材が該戸枠開口を閉じ切るまで該回転部材が該ベース部材に対して回転するようにすることができる。
【００１６】
このような構成により、戸部材が開放位置から戸枠開口を閉じ切る閉止位置にまで９０°を超えて例えば１８０°回転するような場合でも、回転部材が戸部材に干渉することなく、戸部材を閉止位置まで押圧し続けるようにすることが可能となる。
【００１７】
本発明はまた、
戸枠開口を閉じ切る１つの戸部材からなる開き戸と、
該戸部材が開放位置あるときに該戸部材を収容する戸袋と、
該戸部材と該戸袋との間に配置されて、該戸部材が閉じるのを補助する上述のいずれかの補助ドアクローザと、
を備える、開き戸構造体を提供する。
【００１８】
本発明はさらに、
互いに回転可能に連結された複数の戸部材からなる折戸式の開き戸であって、当該開き戸の吊元側の戸部材から当該開き戸の先端側の戸部材に向かって順次閉じていくようにされた開き戸と、
該複数の戸部材のうちの最も先端側の戸部材と、該最も先端側の戸部材に隣接し該最も先端側の戸部材を回転可能に保持する別の戸部材との間に配置されて、該最も先端側の戸部材が閉じるのを補助する上述のいずれかの補助ドアクローザと、
を備える、開き戸構造体を提供する。
【００１９】
以下、本発明に係る補助ドアクローザおよび開き戸構造体の実施形態を添付図面に基づき説明する。
【図面の簡単な説明】
【００２０】
【図１】本発明の第１の実施形態に係る開き戸構造体の上面図である。
【図２】図１の開き戸構造体の側面図である。
【図３】図１及び図２の開き戸構造体に取り付けられている補助ドアクローザの側面図である。
【図４】図３の補助ドアクローザにおいて回転部材が回転した状態を示す図である。
【図５】図４の補助ドアクローザの部分断面図である。
【図６】補助ドアクローザの動作を示す第１の図であり、開き戸が開放位置にある状態を示す図である。
【図７】補助ドアクローザの動作を示す第２の図であり、開き戸が途中まで閉じた状態を示す図である。
【図８】補助ドアクローザの動作を示す第３の図であり、開き戸が戸枠開口を閉じ切った閉止位置にある状態を示す図である。
【図９】本発明の第２の実施形態に係る開き戸構造体を示す図である。
【図１０】本発明の第３の実施形態に係る開き戸構造体の動作を示す第１の図であり、開き戸が開放位置にある状態を示す図である。
【図１１】図１０の開き戸構造体の動作を示す第２の図であり、吊元側の戸部材が閉止位置にあり先端側の戸部材が開放位置にある状態を示す図である。
【図１２】図１０の開き戸構造体の動作を示す第３の図であり、先端側の戸部材が戸枠開口を閉じ切った閉止位置にある状態を示す図である。
【図１３】図１２の状態における開き戸構造体の側面図である。
【図１４】本発明の第４の実施形態に係る開き戸構造体の動作を示す第１の図であり、開き戸が開放位置にある状態を示す図である。
【図１５】図１４の開き戸の動作を示す第２の図であり、開き戸が途中まで閉じた状態を示す図である。
【図１６】図１４の開き戸の動作を示す第３の図であり、開き戸が戸枠開口を閉じ切った閉止位置にある状態を示す図である。
【図１７】第４の実施形態に係る開き戸構造体における補助ドアクローザの部分断面図である。
【発明を実施するための形態】
【００２１】
本発明の第１の実施形態に係る開き戸構造体１００は、図１に示すように、開き戸を構成する１つの戸部材１１０と、戸部材１１０を収容する戸袋１１２と、戸部材１１０と戸袋１１２との間に配置された補助ドアクローザ１１４とを備える。図２に示すように、戸部材１１０は上面に取り付けられた上部ヒンジ１１６と、下面に取り付けられた下部ヒンジ１１８とによって回転可能に保持されている。下部ヒンジ１１８は、その内部にコイルスプリングを備えたドアクローザ１２０を有しており、このコイルスプリングの付勢力によって戸部材１１０を閉じる方向（図１の矢印の方向）に付勢している。当該開き戸構造体１００は、防火戸として使用されるものであり、通常時、戸部材１１０は、図１の実線で示す開放位置にロックされており、火災発生が検知されるとロックが解除されて、戸部材１１０は主として下部ヒンジ１１８のドアクローザ１２０の付勢力により図１の破線で示す閉止位置にまで自動的に回転して戸枠開口１２２を閉じ切る閉止位置にまで回転するようになっている。以下に詳述する補助ドアクローザ１１４は、戸部材１１０に対して閉じる方向での力を付加して戸部材１１０が閉じるのを補助している。
【００２２】
補助ドアクローザ１１４は、図３乃至図５に示すように、戸袋（静止部材）１１２に固定されるベース部材１２４と、ベース部材１２４に対して回転軸線Ｒの周りで回転可能に取り付けられた回転部材１２６と、ベース部材１２４と回転部材１２６との間に設定された２つのコイルスプリング（付勢部材）１２８、１３０とを備える。
【００２３】
ベース部材１２４は、戸袋１１２に固定するためのネジ１３２が通される４つのネジ挿通孔１３４を有する固定部１３６と、回転軸線Ｒに沿って筒状に延びる筒状部１３８とを有する。ベース部材１２４はさらに、筒状部１３８内において回転軸線Ｒの方向での中心位置に並べて配置された第１付勢力調整部材１４０と第２付勢力調整部材１４２とを有する。第１付勢力調整部材１４０と第２付勢力調整部材１４２は、筒状部１３８内で回転軸線Ｒの周りでそれぞれ回転可能となっている。回転部材１２６は、ベース部材１２４の筒状部１３８に回転軸線Ｒの周りで回転可能に取り付けられた回転本体部１４４と、回転軸線Ｒから離れた位置で回転本体部１４４に回転可能に保持されたローラー（当接部）１４６とを有する。回転本体部１４４には、筒状部１３８の両端からそれぞれ筒状部１３８の中に延びる第１スプリング固定部材１４８と第２スプリング固定部材１５０が取り付けられている。第１コイルスプリング１２８は、その一端１２８ａが第１付勢力調整部材１４０の係止溝１５２に係止されて回転方向で固定され、その他端１２８ｂが第１スプリング固定部材１４８の係止溝１５４に係止されて回転方向で固定されている。同様に第２コイルスプリング１３０は、その一端１３０ａが第２付勢力調整部材１４２の係止溝１５６に係止されて回転方向で固定され、その他端１３０ｂが第２スプリング固定部材１５０の係止溝１５８に係止されて回転方向で固定されている。第１コイルスプリング１２８と第２コイルスプリング１３０はその巻き方向が互いに逆向きとなっており、回転部材１２６を図３の位置から図４の位置に向かって付勢している。第１付勢力調整部材１４０は、その外周面に周方向で間隔をあけて複数の挿入孔１６０が形成されており、そのうちの一つに係止ピン１６２が挿入されている。筒状部１３８の周壁には開口１６４が形成されており、係止ピン１６２はこの開口１６４内に突出して開口１６４の内周面１６４ａに当接している。これにより、第１付勢力調整部材１４０の回転方向位置が固定される。係止ピン１６２を抜いた状態で第１付勢力調整部材１４０を回転させることにより第１コイルスプリング１２８の捩り量を変えて付勢力を調整することができる。任意の付勢力となったところで開口１６４の位置にある挿入孔１６０に係止ピン１６２を挿入することにより、第１付勢力調整部材１４０の回転方向での位置が再び固定されて、第１コイルスプリング１２８の付勢力が調整した大きさに維持される。同様に第２付勢力調整部材１４２も複数の挿入孔１６６と係止ピン１６８とを有しており、第２付勢力調整部材１４２によって第２コイルスプリング１３０の付勢力を調整することができる。第１付勢力調整部材１４０と第２付勢力調整部材１４２とは互いに独立して回転可能となっているため、第１コイルスプリング１２８と第２コイルスプリング１３０の付勢力を別々に調整することができる。
【００２４】
図６に示すように、補助ドアクローザ１１４は、戸袋１１２に固定された状態で戸袋１１２と戸部材１１０との間に配置されている。このとき回転部材１２６は、第１コイルスプリング１２８と第２コイルスプリング１３０との付勢力によって、図で見て反時計回りに付勢されている。ローラー１４６は、戸部材１１０に当接するように配置されていて、戸部材１１０に押圧されている。
【００２５】
図６の状態においては、戸部材１１０は（図示しない）ロック機構によって開放位置にロックされている。このロックが解除されると、戸部材１１０は、戸部材１１０の内部に配置されたドアクローザ１２０による付勢力に加えて、補助ドアクローザ１１４による付勢力も受けて、閉止位置に向かって図で見て反時計回りに回転していく（図７）。戸部材１１０の回転軸線Ｓと補助ドアクローザ１１４の回転軸線Ｒとが異なる位置にあることから、ローラー１４６が戸部材１１０に当接する位置は、戸部材１１０の回転に伴って移動していく。具体的には、ローラー１４６の当接位置は、戸部材１１０が閉止位置に向かって回転するに従って戸部材１１０の回転軸線Ｓの側に徐々に移動していく。このときローラー１４６が戸部材１１０上で回転することにより、当接位置の移動が滑らかに行われる。ローラー１４６は、戸部材１１０が戸枠開口１２２を閉め切る閉止位置（図８）になるまで戸部材１１０を押圧し続ける。戸部材１１０は、ドアクローザ１２０の付勢力に加えて補助ドアクローザ１１４の付勢力も受けて閉止位置にまで移動して閉止位置に維持される。
【００２６】
図９に示す本発明の第２の実施形態に係る開き戸構造体２００においては、第１の実施形態の開き戸構造体１００に対して補助ドアクローザ１１４の取り付け方が異なる。具体的には、ベース部材１２４が戸部材１１０に固定され、ローラー１４６が戸袋１１２に当接するように補助ドアクローザ１１４が取り付けられている。当該実施形態においては、ローラー１４６が戸袋１１２を押圧することによって、戸部材１１０に閉じる方向での力を付加するようになっている。ローラー１４６が戸袋１１２に当接する位置は、戸部材１１０が閉止位置に向かって回転するに従って、図で見て上方に移動していく。
【００２７】
図１０乃至図１３に示す本発明の第３の実施形態に係る開き戸構造体３００においては、互いに回転可能に連結された２つの戸部材３１０Ａ、３１０Ｂからなる折戸式の開き戸３１０を有している。開き戸３１０の吊元側の戸部材３１０Ａは、図１３に示すように、上面に取り付けられた上部ヒンジ３１６と、下面に取り付けられた下部ヒンジ３１８とによって回転可能に保持されている。下部ヒンジ３１８はドアクローザ３２０を有している。吊元側の戸部材３１０Ａと先端側の戸部材３１０Ｂとの間は上部ヒンジ３２１とドアクローザ３２５を有する下部ヒンジ３２３とによって回転可能に連結されている。また、第１及び第２実施形態におけるものと同じ補助ドアクローザ１１４が、吊元側の戸部材３１０Ａと先端側の戸部材３１０Ｂとの間に配置されている。具体的には、ベース部材１２４が吊元側の戸部材３１０Ａに固定され、ローラー１４６が先端側の戸部材３１０Ｂに当接するように配置されている。
【００２８】
開き戸３１０が図１０の開放位置にあるときには、開き戸３１０の吊元側の戸部材３１０Ａが（図示しない）ロック機構によってロックされているとともに、先端側の戸部材３１０Ｂが（図示しない）ロック機構によって吊元側の戸部材３１０Ａに対してロックされている。吊元側の戸部材３１０Ａのロックが解除されると、吊元側の戸部材３１０Ａに内蔵されたドアクローザ３２０によって開き戸３１０が閉止位置に向かって回転する。図１１に示すように吊元側の戸部材３１０Ａが閉止位置になると先端側の戸部材３１０Ｂのロックが自動的に解除されて、先端側の戸部材３１０Ｂがドアクローザ３２０と補助ドアクローザ１１４によって閉止位置に向かって回転する。先端側の戸部材３１０Ｂの回転軸線Ｔと補助ドアクローザ１１４の回転軸線Ｒとが異なる位置にあることから、ローラー１４６が先端側の戸部材３１０Ｂに当接する位置は、先端側の戸部材３１０Ｂの回転に伴って移動していく。具体的には、当接位置は、先端側の戸部材３１０Ｂが回転するに従って先端側の戸部材３１０Ｂの回転軸線Ｒに徐々に近づいていく。このときローラー１４６が先端側の戸部材３１０Ｂ上で回転することにより、当接位置の移動が滑らかに行われる。ローラー１４６は、先端側の戸部材３１０Ｂが戸枠開口３２２を閉め切る閉止位置（図１２）になるまで先端側の戸部材３１０Ｂを押圧し続ける。先端側の戸部材３１０Ｂは、ドアクローザ３２０の付勢力に加えて補助ドアクローザ１１４の付勢力も受けて閉止位置にまで移動して閉止位置に維持される。なお、当該実施形態において、補助ドアクローザ１１４は、ベース部材１２４を先端側の戸部材３１０Ｂに固定して、ローラー１４６が吊元側の戸部材３１０Ａに当接するように配置することもできる。また、開き戸を戸部材が３つ以上からなる折戸とすることもできる。この場合、補助ドアクローザ１１４は、最も先端側の戸部材と、最も先端側の戸部材に隣接し最も先端側の戸部材を回転可能に保持する戸部材との間に配置される。
【００２９】
図１４乃至図１７に示す本発明の第４の実施形態に係る開き戸構造体４００は、戸部材４１０が開放位置（図１４）から閉止位置（図１６）にまでおよそ１８０°回転するようになっている。当該実施形態における補助ドアクローザ４１４は、図１７に示すように、回転本体部４４４が第１部材４４４Ａと第２部材４４４Ｂとからなっている。第１部材４４４Ａは、ベース部材４２４から回転軸線Ｒの放射方向に延び、筒状部４３８内に内蔵された第１及び第２コイルスプリング４２８、４３０によって回転方向に付勢されている。第２部材４４４Ｂは、回転軸線Ｒと平行で回転軸線Ｒから離れた位置にある平行軸線Ｕの周りで第１部材４４４Ａに回転可能に取り付けられている。第２部材４４４Ｂにはローラー４４６が回転可能に取り付けられている。第１部材４４４Ａと第２部材４４４Ｂとの間には、２つのコイルスプリング（補助付勢部材）４６８、４７０が設定されていて、第２部材４４４Ｂはこれらコイルスプリング４６８、４７０によって回転方向に付勢されている。２つのコイルスプリング４６８、４７０は、第１コイルスプリング４２８と第２コイルスプリング４３０と同様な構成により保持されている。すなわち、第２部材４４４Ｂがその筒状部４３９内に２つの付勢力調整部材４７２、４７４を有し、第１部材４４４Ａが筒状部４３９内に延びる２つのスプリング固定部材４７６、４７８を有していて、各コイルスプリング４６８、４７０は、付勢力調整部材４７２、４７４とスプリング固定部材４７６、４７８との間に固定されている。
【００３０】
当該開き戸構造体４００においては、補助ドアクローザ４１４は、戸部材４１０と戸袋４１２との間において、ベース部材４２４が戸袋４１２に固定され、ローラー４４６が戸部材４１０に当接するように配置されている。図１４に示すように、戸部材４１０が開放位置にあるときには、回転部材４２６の第１部材４４４Ａと第２部材４４４Ｂとがほぼ一直線上に位置している。図１５に示すように、戸部材４１０が開放位置から閉じていくと、まず第２部材４４４Ｂが回転して第１部材４４４Ａに対して屈曲する。回転部材４２６は、第１部材４４４Ａと第２部材４４４Ｂとがこのように屈曲した状態を維持しながら、戸部材４１０が閉止位置（図１６）になるまでベース部材４２４に対して回転していく。第１部材４４４Ａと第２部材４４４Ｂとが屈曲した状態を維持することにより、戸部材４１０が閉止位置になっても回転部材４２６が戸部材４１０に干渉せず、ローラー４４６によって戸部材４１０を押圧し続けることができるようになっている。なお、第１部材４４４Ａと第２部材４４４Ｂとの間の屈曲角度は、各コイルスプリング４２８、４３０、４６８、４７０の付勢力や、戸部材４１０に設けられたドアクローザの付勢力、戸部材４１０の回転位置などによって、所定の角度範囲内で変化する。
【００３１】
このように、本発明における補助ドアクローザは、戸枠開口を閉じ切る戸部材と、戸部材が戸枠開口を閉じ切るときに静止している戸袋や吊元側の戸部材のような静止部材との間に配置されるが、戸部材と静止部材とのうちの一方の部材だけに固定すればよく、他方の部材に固定する必要がない。また、回転部材の回転軸線を戸部材の回転軸線に合わせる必要もない。そのため、既に設置されている開き戸に対しても容易に後付けすることができる。さらには、補助ドアクローザを複数取り付けることにより戸部材が閉じる力をさらに大きくすることもできる。この場合、複数の補助ドアクローザにおける回転軸線は互いに一致していなくてもよいため、互いの位置関係を正確に合わせる必要がなく、取り付けが容易である。
【００３２】
以上に本発明の実施形態について説明をしたが、本発明はこれら実施形態に限定されるものではない。例えば、開き戸構造体として常開型の防火戸を例として示したが、防火戸以外の開き戸としてもよいし、常閉型の開き戸としてもよい。また、補助ドアクローザは、ドアクローザを有しない開き戸に取り付けて、開き戸にクローザ機能を追加するために使用することもできる。回転部材を付勢するための付勢部材として２つのコイルスプリングを使用しているが、１つのコイルスプリングや３つ以上のコイルスプリングにより構成してもよいし、他の形態の付勢部材により構成してもよい。また、補助ドアクローザを固定する場所は、戸袋や戸部材に限られず、戸枠や天井などの他の静止した部材に固定するようにしてもよい。当接部として、ローラーに代えて、例えば低摩擦な樹脂材料を戸部材や戸袋に対して摺動させるようにするようにすることもできる。
【符号の説明】
【００３３】
１００  開き戸構造体（第１の実施形態）
１１０  戸部材
１１２  戸袋（静止部材）
１１４  補助ドアクローザ
１１６  上部ヒンジ
１１８  下部ヒンジ
１２０  ドアクローザ
１２２  戸枠開口
１２４  ベース部材
１２６  回転部材
１２８  第１コイルスプリング（付勢部材）
１２８ａ  一端
１２８ｂ  他端
１３０  第２コイルスプリング（付勢部材）
１３０ａ  一端
１３０ｂ  他端
１３２  ネジ
１３４  ネジ挿通孔
１３６  固定部
１３８  筒状部
１４０  第１付勢力調整部材
１４２  第２付勢力調整部材
１４４  回転本体部
１４６  ローラー（当接部）
１４８  第１スプリング固定部材
１５０  第２スプリング固定部材
１５２  係止溝
１５４  係止溝
１５６  係止溝
１５８  係止溝
１６０  挿入孔
１６２  係止ピン
１６４  開口
１６４ａ  内周面
１６６  挿入孔
１６８  係止ピン
２００  開き戸構造体（第２の実施形態）
３００  開き戸構造体（第３の実施形態）
３１０  開き戸
３１０Ａ  吊元側の戸部材
３１０Ｂ  先端側の戸部材
３１６  上部ヒンジ
３１８  下部ヒンジ
３２０  ドアクローザ
３２１  上部ヒンジ
３２２  戸枠開口
３２３  下部ヒンジ
３２５  ドアクローザ
４００  開き戸構造体（第４の実施形態）
４１０  戸部材
４１２  戸袋
４１４  補助ドアクローザ
４２４  ベース部材
４２６  回転部材
４２８  第１コイルスプリング（付勢部材）
４３０  第２コイルスプリング（付勢部材）
４３８  筒状部
４３９  筒状部
４４４  回転本体部
４４４Ａ  第１部材
４４４Ｂ  第２部材
４４６  ローラー（当接部）
４６８  コイルスプリング（補助付勢部材）
４７０  コイルスプリング（補助付勢部材）
４７２  付勢力調整部材
４７４  付勢力調整部材
４７６  スプリング固定部材
４７８  スプリング固定部材
Ｒ  （回転部材の）回転軸線
Ｓ  （戸部材の）回転軸線
Ｔ  （先端側の戸部材の）回転軸線
Ｕ  平行軸線
【図１】
2020139295.tif 000003
【図２】
2020139295.tif 000004
【図３】
2020139295.tif 000005
【図４】
2020139295.tif 000006
【図５】
2020139295.tif 000007
【図６】
2020139295.tif 000008
【図７】
2020139295.tif 000009
【図８】
2020139295.tif 000010
【図９】
2020139295.tif 000011
【図１０】
2020139295.tif 000012
【図１１】
2020139295.tif 000013
【図１２】
2020139295.tif 000014
【図１３】
2020139295.tif 000015
【図１４】
2020139295.tif 000016
【図１５】
2020139295.tif 000017
【図１６】
2020139295.tif 000018
【図１７】
2020139295.tif 000019